【手続補正書】
【提出日】平成26年9月8日(2014.9.8)
【手続補正１】
【補正対象書類名】特許請求の範囲
【補正対象項目名】全文
【補正方法】変更
【補正の内容】
【特許請求の範囲】
【請求項１】
中折り処理を実行することによって製本物を生成することが可能な画像処理装置であって、
両面合わせてＫページ分が１枚のシートに印刷されるようにして、Ｎ（Ｋ＜Ｎ）ページ分の原稿画像を複数のシートに印刷する印刷手段と、
Ｍ（１＜Ｍ＜Ｎ、ＭはＫの整数倍）ページ目と（Ｍ＋１）ページ目の間に挿入紙を挿入することが設定されたことに基づき、１ページ目からＭページ目までが印刷された少なくとも１枚のシートと、（Ｍ＋１）ページ目からＮページ目までが印刷された少なくとも１枚のシートに、個別に中折り処理を実行するよう制御する制御手段と、
を備えることを特徴とする画像処理装置。
【請求項２】
前記挿入紙のサイズは、前記シートの半分のサイズであることを特徴とする請求項１に記載の画像処理装置。
【請求項３】
中折り処理を実行することによって製本物を生成することが可能な画像処理装置であって、
両面合わせてＫページ分が１枚のシートに印刷されるようにして、Ｎ（Ｋ＜Ｎ）ページ分の原稿画像を複数のシートに印刷する印刷手段と、
Ｍ（１＜Ｍ＜Ｎ、Ｍは（Ｋ／２）の整数倍）ページ目と（Ｍ＋１）ページ目の間に挿入紙を挿入することが設定されたことに基づき、Ｍを２倍してＮで割ったときの余りに相当する数のページが印刷された少なくとも１枚のシートと、残りのページが印刷された少なくとも１枚のシートに、個別に中折り処理を実行するよう制御する制御手段と、
を備えることを特徴とする画像処理装置。
【請求項４】
前記挿入紙のサイズは、前記シートと同一のサイズであることを特徴とする請求項３に記載の画像処理装置。
【請求項５】
中折り処理を実行することによって製本物を生成することが可能な画像処理装置であって、
両面合わせてＫページ分が１枚のシートに印刷されるようにして、Ｎ（Ｋ＜Ｎ）ページ分の原稿画像を複数のシートに印刷する印刷手段と、
Ｍ（１＜Ｍ＜Ｎ、ＭはＫの整数倍）ページ目と（Ｍ＋１）ページ目の間に前記シートの半分のサイズの挿入紙を挿入することが設定されたことに基づき、１ページ目からＭページ目までが印刷された少なくとも１枚のシートと、（Ｍ＋１）ページ目からＮページ目までが印刷された少なくとも１枚のシートに、個別に中折り処理を実行するよう制御し、Ｍページ目と（Ｍ＋１）ページ目の間に前記シートと同一のサイズの挿入紙を挿入することが設定されたことに基づき、Ｍを２倍してＮで割ったときの余りに相当する数のページが印刷された少なくとも１枚のシートと、残りのページが印刷された少なくとも１枚のシートに、個別に中折り処理を実行するよう制御する制御手段と、
を備えることを特徴とする画像処理装置。
【請求項６】
１ページ目の前またはＮページ目の後に前記挿入紙を挿入することが設定された場合は、前記制御手段は、１ページ目からＮページ目が印刷されたシートに一括して中折り処理を実行するよう制御することを特徴とする請求項１乃至５のいずれか１項に記載の画像処理装置。
【請求項７】
ＮはＫの整数倍であることを特徴とする請求項１乃至６のいずれか１項に記載の画像処理装置。
【請求項８】
受信した原稿画像のページ数がＫの整数倍でない場合に、白紙ページを追加することによってページ数をＮにする追加手段を更に備えることを特徴とする請求項７に記載の画像処理装置。
【請求項９】
中折り処理を実行することによって製本物を生成することが可能な画像処理装置の制御方法であって、
両面合わせてＫページ分が１枚のシートに印刷されるようにして、Ｎ（Ｋ＜Ｎ）ページ分の原稿画像を複数のシートに印刷する印刷工程と、
Ｍ（１＜Ｍ＜Ｎ、ＭはＫの整数倍）ページ目と（Ｍ＋１）ページ目の間に挿入紙を挿入することが設定されたことに基づき、１ページ目からＭページ目までが印刷された少なくとも１枚のシートと、（Ｍ＋１）ページ目からＮページ目までが印刷された少なくとも１枚のシートに、個別に中折り処理を実行するよう制御する制御工程と、
を備えることを特徴とする制御方法。
【請求項１０】
中折り処理を実行することによって製本物を生成することが可能な画像処理装置の制御方法であって、
両面合わせてＫページ分が１枚のシートに印刷されるようにして、Ｎ（Ｋ＜Ｎ）ページ分の原稿画像を複数のシートに印刷する印刷工程と、
Ｍ（１＜Ｍ＜Ｎ、Ｍは（Ｋ／２）の整数倍）ページ目と（Ｍ＋１）ページ目の間に挿入紙を挿入することが設定されたことに基づき、Ｍを２倍してＮで割ったときの余りに相当する数のページが印刷された少なくとも１枚のシートと、残りのページが印刷された少なくとも１枚のシートに、個別に中折り処理を実行するよう制御する制御工程と、
を備えることを特徴とする制御方法。
【請求項１１】
中折り処理を実行することによって製本物を生成することが可能な画像処理装置の制御方法であって、
両面合わせてＫページ分が１枚のシートに印刷されるようにして、Ｎ（Ｋ＜Ｎ）ページ分の原稿画像を複数のシートに印刷する印刷工程と、
Ｍ（１＜Ｍ＜Ｎ、ＭはＫの整数倍）ページ目と（Ｍ＋１）ページ目の間に前記シートの半分のサイズの挿入紙を挿入することが設定されたことに基づき、１ページ目からＭページ目までが印刷された少なくとも１枚のシートと、（Ｍ＋１）ページ目からＮページ目までが印刷された少なくとも１枚のシートに、個別に中折り処理を実行するよう制御し、Ｍページ目と（Ｍ＋１）ページ目の間に前記シートと同一のサイズの挿入紙を挿入することが設定されたことに基づき、Ｍを２倍してＮで割ったときの余りに相当する数のページが印刷された少なくとも１枚のシートと、残りのページが印刷された少なくとも１枚のシートに、個別に中折り処理を実行するよう制御する制御工程と、
を備えることを特徴とする制御方法。
【請求項１２】
コンピュータを請求項１乃至８のいずれか１項に記載の画像処理装置の各手段として機能させるためのプログラム。
【手続補正２】
【補正対象書類名】明細書
【補正対象項目名】０００９
【補正方法】変更
【補正の内容】
【０００９】
本発明の画像処理装置は、上述の問題に鑑みてなされたものである。本発明は、中折り処理を実行することによって製本物を生成することが可能な画像処理装置において、ページ間に挿入紙を挿入することが設定された場合に、当該挿入紙が適切に挿入された製本物を生成する技術を提供することを目的としている。
【手続補正３】
【補正対象書類名】明細書
【補正対象項目名】００１０
【補正方法】変更
【補正の内容】
【００１０】
本発明の画像処理装置は、例えば、中折り処理を実行することによって製本物を生成することが可能な画像処理装置であって、両面合わせてＫページ分が１枚のシートに印刷されるようにして、Ｎ（Ｋ＜Ｎ）ページ分の原稿画像を複数のシートに印刷する印刷手段と、Ｍ（１＜Ｍ＜Ｎ、ＭはＫの整数倍）ページ目と（Ｍ＋１）ページ目の間に挿入紙を挿入することが設定されたことに基づき、１ページ目からＭページ目までが印刷された少なくとも１枚のシートと、（Ｍ＋１）ページ目からＮページ目までが印刷された少なくとも１枚のシートに、個別に中折り処理を実行するよう制御する制御手段と、を備えることを特徴とする。また例えば、中折り処理を実行することによって製本物を生成することが可能な画像処理装置であって、両面合わせてＫページ分が１枚のシートに印刷されるようにして、Ｎ（Ｋ＜Ｎ）ページ分の原稿画像を複数のシートに印刷する印刷手段と、Ｍ（１＜Ｍ＜Ｎ、Ｍは（Ｋ／２）の整数倍）ページ目と（Ｍ＋１）ページ目の間に挿入紙を挿入することが設定されたことに基づき、Ｍを２倍してＮで割ったときの余りに相当する数のページが印刷された少なくとも１枚のシートと、残りのページが印刷された少なくとも１枚のシートに、個別に中折り処理を実行するよう制御する制御手段と、を備えることを特徴とする。
【手続補正４】
【補正対象書類名】明細書
【補正対象項目名】００１１
【補正方法】変更
【補正の内容】
【００１１】
本発明によれば、中折り処理を実行することによって製本物を生成することが可能な画像処理装置において、ページ間に挿入紙を挿入することが設定された場合に、当該挿入紙が適切に挿入された製本物を生成することが可能となる。
【手続補正５】
【補正対象書類名】明細書
【補正対象項目名】００２５
【補正方法】変更
【補正の内容】
【００２５】
プリンタドライバは、製本印刷の処理方法の項目２１３において、レイアウト処理を、画像処理装置１２０側で実行するか、プリンタドライバ（情報処理装置１００）側で実行するかの選択指示を受け付ける。本実施形態では、画像処理装置１２０側でレイアウト処理を実行する場合について説明する。なお、第２の実施形態では、プリンタドライバ（情報処理装置１００）側でレイアウト処理を実行する場合について説明する。ここで、レイアウト処理は、「面付け処理」とも称され、折り製本等によって用紙に折り処理を施して製本した結果、製本物に含まれることになる複数の頁について、各頁の原稿に対応する正しい順序で製本されるようにレイアウト（面付け）を行う処理に相当する。
【手続補正６】
【補正対象書類名】明細書
【補正対象項目名】００２７
【補正方法】変更
【補正の内容】
【００２７】
次に、情報処理装置１００のプリンタドライバは、給紙設定に関する設定画面２２０を介して、挿入紙の使用に関する設定を受け付ける。プリンタドライバは、項目２２１において、本文の用紙及び挿入紙の給紙方法について、用紙種類及び給紙部の何れに基づいて指定するかを受け付ける。また、プリンタドライバは、項目２２２において、挿入紙を使用するか否かについて指定を受け付ける。プリンタドライバは、挿入紙の使用が指定された場合、本文の用紙設定（２２３）と挿入紙の用紙設定（２２４）との選択指示を受付可能とする。プリンタドライバは、本文の用紙設定（２２３）として、「給紙段指定」又は「用紙タイプ指定」の選択指示を受付可能である（不図示）。また、挿入紙設定の項目２２４が選択された場合、プリンタドライバは、挿入紙の詳細設定を行うための設定画面３００（図３）を情報処理装置１００のディスプレイに表示して、さらなる設定を受け付ける。
【手続補正７】
【補正対象書類名】明細書
【補正対象項目名】００６５
【補正方法】変更
【補正の内容】
【００６５】
一方、Ｓ５１７では、画像処理装置１２０は、Ｓ５１４と同様に、分割されていない第１〜Ｌ'頁の本文の描画データのレイアウト処理を行う。その後、画像処理装置１２０は処理をＳ５１８に進める。なお、本実施形態におけるＳ５１３、Ｓ５１４、Ｓ５１６及びＳ５１７におけるレイアウト処理は、第１のレイアウト手段による処理に相当する。また本実施形態では、当該レイアウト処理は、後述するように、印刷対象の見開きサイズの用紙の表面又は裏面に対応する各画像データに対し、同一の描画データ群に含まれる何れか２つの原稿データをレイアウトすることによって実現される。
【手続補正８】
【補正対象書類名】明細書
【補正対象項目名】０１０２
【補正方法】変更
【補正の内容】
【０１０２】
次に、第２の製本物を生成するための印刷設定データについて説明する。第２の製本物の画像データ９２３〜９２７のうち、本文の画像データ９２３〜９２６に対応する印刷設定データ９１３〜９１６では、「印刷方法」として、「両面／裏面」及び「両面／表面」が印刷順に交互に設定されている。一方、挿入紙の画像データ９２７に対応する印刷設定データ９１７では、「印刷方法」として、「片面／表面」が設定されている。また、「用紙サイズ」、「給紙段情報」及び「用紙種類」として、本文に対応する印刷設定データ９１３〜９１６には、ジョブ設定データにおける本文の用紙設定（Ａ３／カセット１／普通紙）が設定されている。一方、挿入紙に対応する印刷設定データ９１７には、ジョブ設定データにおける挿入紙の用紙設定（Ａ３／手差し／コート紙）が設定されている。さらに、「折り設定」として、印刷設定データ９１３には「開始フラグ」、印刷設定データ９１７には「終了フラグ」、印刷設定データ９１４〜９１６には「継続フラグ」がそれぞれ設定されている。
【手続補正９】
【補正対象書類名】明細書
【補正対象項目名】０１０４
【補正方法】変更
【補正の内容】
【０１０４】
上述のように、画像処理装置１２０が、図９Ａに示す印刷設定データ９１１〜９１７に従って画像データ９２１〜９２７に対する印刷処理を行った結果、図９Ｂに示す製本物が生成される。図９Ｂに示す製本物には、第１〜４頁の原稿に対応する印刷物から成る第１の製本物９３１と、第５〜１２頁の原稿に対応する印刷物、及び、挿入紙に対応する印刷物９３３から成る第２の製本物９３２とが含まれる。画像処理装置１２０は、第１の製本物９３１と、挿入紙に対応する印刷物９３３を含む第２の製本物９３２とを、順に重ねて出力することで、最終的な製本物を生成する。このようにして、画像処理装置１２０は、本文の第８頁と第９頁との間に挿入紙が挿入された製本物を生成でき、即ち、指定された位置に挿入紙が挿入された製本物を生成できる。